(57)【要約】【課題】より直感的で簡易な方法で情報端末を操作する。【解決手段】複数の記録媒体１Ａ，１Ｂ，・・・，１Ｎのそれぞれに、情報端末３に実行させる処理を特定可能な情報を記録しておき、複数の記録媒体１Ａ，１Ｂ，・・・，１Ｎのそれぞれが、情報端末３が実行する処理に関連するイメージを表示している。これにより、利用者は、複数の記録媒体１Ａ，１Ｂ，・・・，１Ｎの中から希望するサービスに関連するイメージを表示した記録媒体１Ａ，１Ｂ，・・・，１Ｎを物理的に選び、選んだ記録媒体１Ａ，１Ｂ，・・・，１Ｎを入力装置２にかざすだけで、情報端末３に所望の処理をさせることが可能となる。【選択図】図１
2017157012.tif 000002
【特許請求の範囲】
【請求項１】
情報端末を操作可能な複数の記録媒体であって、
前記複数の記録媒体のそれぞれは、前記情報端末に実行させる処理を特定する情報を記録しており、
前記複数の記録媒体のそれぞれは、当該記録媒体のそれぞれに記録された前記情報を読み取らせることによって前記情報端末が実行する処理に関連するイメージを表示していることを特徴とする複数の記録媒体。
【請求項２】
複数の記録媒体と入力装置と情報端末を有し、前記記録媒体に記録した情報を前記入力装置に読み取らせることで前記情報端末を操作する情報システムであって、
前記複数の記録媒体のそれぞれは、前記情報端末に実行させる処理を特定する情報を記録し、当該情報を読み取らせることによって前記情報端末が実行する処理に関連するイメージを表示しており、
前記入力装置は、
前記記録媒体に記録した情報を読み取り、前記情報端末へ送信する入力手段を有し、
前記情報端末は、
前記情報に対応する処理を実行する処理手段を有すること
を特徴とする情報システム。
【請求項３】
前記情報端末は、利用者情報を保持する記憶手段を有し、
前記記録媒体は利用者情報を記録しないことを特徴とする請求項２に記載の情報システム。
【請求項４】
前記処理手段は、前記記憶手段から前記利用者情報を読み出し、当該利用者情報とともに前記情報に対応する処理を要求する要求信号を送信することを特徴とする請求項３に記載の情報システム。
【請求項５】
前記処理手段は、前記情報に応じて前記情報端末にインストールされたアプリケーションを起動し、当該アプリケーションに所定の処理を実行させることを特徴とする請求項２乃至４のいずれかに記載の情報システム。
【請求項６】
前記情報端末は、前記情報に対応する処理を登録する登録手段を有することを特徴とする請求項２乃至５のいずれかに記載の情報システム。
【請求項７】
複数の記録媒体によって情報端末を操作する操作方法であって、
前記複数の記録媒体のそれぞれは、前記情報端末に実行させる処理を特定する情報を記録し、当該情報を読み取らせることによって前記情報端末が実行する処理に関連するイメージを表示しており、
前記記録媒体に記録した情報を読み取るステップと、
前記情報端末が、前記情報に対応する処理を実行するステップと、
を有することを特徴とする操作方法。
【発明の詳細な説明】
【技術分野】
【０００１】
本発明は、情報端末を操作する技術に関する。
【背景技術】
【０００２】
テレビに接続するセットトップボックスなどの情報端末が普及している。テレビの端子に直接接続するスティック型の情報端末も多数販売されている。
【０００３】
これらの情報端末は、アプリケーションをインストールして実行することができ、テレビの視聴のみならず様々な用途に用いることが可能である。利用者は、リモコン等でテレビに表示されたメニューを操作し、情報端末に所望の処理を行わせる。例えば、特許文献１には、セットトップボックスを操作するためのタッチパネルを備えたリモコンが開示されている。
【先行技術文献】
【特許文献】
【０００４】
【特許文献１】特開２０１５−０６０３０３号公報
【発明の概要】
【発明が解決しようとする課題】
【０００５】
画面に表示されるメニューを操作することに慣れていない人にとって、リモコンの方向ボタン、決定ボタンあるいはタッチパネルでメニューを操作し、情報端末に所望の動作させることは容易でなく、より直感的で簡易な操作が望まれることもある。
【０００６】
本発明は、上記に鑑みてなされたものであり、より直感的で簡易な方法で情報端末を操作することを目的とする。
【課題を解決するための手段】
【０００７】
第１の本発明に係る複数の記録媒体は、情報端末を操作可能な複数の記録媒体であって、前記複数の記録媒体のそれぞれは、前記情報端末に実行させる処理を特定する情報を記録しており、前記複数の記録媒体のそれぞれは、当該記録媒体のそれぞれに記録された前記情報を読み取らせることによって前記情報端末が実行する処理に関連するイメージを表示していることを特徴とする。
【０００８】
第２の本発明に係る情報システムは、複数の記録媒体と入力装置と情報端末を有し、前記記録媒体に記録した情報を前記入力装置に読み取らせることで前記情報端末を操作する情報システムであって、前記複数の記録媒体のそれぞれは、前記情報端末に実行させる処理を特定する情報を記録し、当該情報を読み取らせることによって前記情報端末が実行する処理に関連するイメージを表示しており、前記入力装置は、前記記録媒体に記録した情報を読み取り、前記情報端末へ送信する入力手段を有し、前記情報端末は、前記情報に対応する処理を実行する処理手段を有することを特徴とする。
【０００９】
第３の本発明に係る操作方法は、複数の記録媒体によって情報端末を操作する操作方法であって、前記複数の記録媒体のそれぞれは、前記情報端末に実行させる処理を特定する情報を記録し、当該情報を読み取らせることによって前記情報端末が実行する処理に関連するイメージを表示しており、前記記録媒体に記録した情報を読み取るステップと、前記情報端末が、前記情報に対応する処理を実行するステップと、を有することを特徴とする。
【発明の効果】
【００１０】
本発明によれば、より直感的で簡易な方法で情報端末を操作することができる。
【図面の簡単な説明】
【００１１】
【図１】本実施の形態における情報システムを含む全体構成図である。
【図２】図２（ａ）は、処理内容対応一覧（全利用者共通）の例を示す図であり、図２（ｂ）は、処理内容対応一覧（利用者毎）の例を示す図である。
【図３】利用者情報の例を示す図である。
【図４】本実施の形態における情報システムの処理の流れを示すフローチャートである。
【図５】本実施の形態における処理内容をカスタマイズする処理の流れを示すフローチャートである。
【発明を実施するための形態】
【００１２】
以下、本発明の実施の形態について図面を用いて説明する。
【００１３】
図１は、本実施の形態における情報システムを含む全体構成図である。図１に示す情報システムは、複数の記録媒体１Ａ，１Ｂ，・・・，１Ｎ、入力装置２、情報端末３、表示装置４、及びサーバ５を備える。情報端末３とサーバ５とは、ネットワークを介して通信可能に接続される。
【００１４】
本情報システムは、記録媒体１Ａ，１Ｂ，・・・，１Ｎに記録された情報を入力装置２に読み取らせて情報端末３を操作するシステムである。入力装置２に読み取らせる記録媒体１Ａ，１Ｂ，・・・，１Ｎを変えることで情報端末３に様々な処理をさせることが可能である。情報端末３は、入力装置２が記録媒体１Ａ，１Ｂ，・・・，１Ｎから読み取った情報に応じた処理をする。情報端末３は、必要であれば、サーバ５に対して情報を送信する。サーバ５は、受信した情報に基づいてサービス提供元６Ａ，６Ｂにサービスを発注する。表示装置４は、情報端末３に接続されて、情報端末３の処理の途中経過や処理結果を表示する。以下、各装置について説明する。
【００１５】
記録媒体１Ａ，１Ｂ，・・・，１Ｎは、集積回路（ＩＣ）が組み込まれたＩＣカードである。記録媒体１Ａ，１Ｂ，・・・，１Ｎは、カードＩＤを記録している。カードＩＤは記録媒体１Ａ，１Ｂ，・・・，１Ｎを一意に特定可能な識別番号である。利用者が記録媒体１Ａ，１Ｂ，・・・，１Ｎを入力装置２にかざすことで、カードＩＤが入力装置２に読み取られる。記録媒体１Ａ，１Ｂ，・・・，１Ｎは、カードＩＤを読み取らせることによって提供されるサービスと一致したイメージがカードの表面に図示されている。例えば、記録媒体１Ａには、タクシーのイラストが描かれているので、利用者は、記録媒体１Ａを入力装置２にかざすことでタクシーの配車を手配できることが一目でわかる。記録媒体１Ｂには、商品のイラストが描かれているので、利用者は、記録媒体１Ｂを入力装置２にかざすことでその商品を注文できることが一目でわかる。記録媒体１Ｎには、カラオケマイクのイラストが描かれているので、記録媒体１Ｎを入力装置２にかざすことで情報端末３でカラオケができることが一目でわかる。
【００１６】
入力装置２は、ＩＣカードに記録された情報を読み取り可能なカードリーダである。入力装置２は、記録媒体１Ａ，１Ｂ，・・・，１Ｎに記録されたカードＩＤを読み取り、カードＩＤを情報端末３へ送信して情報端末３を操作する。
【００１７】
記録媒体１Ａ，１Ｂ，・・・，１Ｎと入力装置２は、接触型であってもよいし、非接触型であってもよい。記録媒体１Ａ，１Ｂ，・・・，１Ｎが磁気カードであり、入力装置２が磁気カードリーダであってもよい。あるいは、記録媒体１Ａ，１Ｂ，・・・，１Ｎは、ＱＲコード（登録商標）やバーコードを記載したものであって、入力装置２はＱＲコードスキャナやバーコードリーダであってもよい。記録媒体１Ａ，１Ｂ，・・・，１Ｎは、３次元の形状で提供されるサービスを表してもよい。例えば、記録媒体１Ａの形状がタクシーであってもよい。
【００１８】
なお、図１では入力装置２と情報端末３とを別々の装置として図示しているが、情報端末３内に入力装置２を備えてもよい。
【００１９】
情報端末３は、処理部３１、通知部３２、処理内容記憶部３３、及び利用者情報記憶部３４を備える。情報端末３が備える各部は、演算処理装置、記憶装置等を備えたコンピュータにより構成して、各部の処理がプログラムによって実行されるものとしてもよい。このプログラムは情報端末３が備える記憶装置に記憶されており、磁気ディスク、光ディスク、半導体メモリ等の記録媒体に記録することも、ネットワークを通して提供することも可能である。情報端末３として、テレビに接続されるセットトップボックスを用いることができる。情報端末３は、ネットワークに接続可能であって、様々なアプリケーションをインストールし、実行することができる。
【００２０】
処理部３１は、入力装置２からカードＩＤを受信し、処理内容記憶部３３からカードＩＤに対応する処理内容を取得し、処理内容を実行する。処理部３１は、必要であれば、注文情報を通知部３２へ送信して外部のサーバ５へ注文させる。また、処理部３１は、処理の途中経過及び処理結果を表示装置４に表示させる。
【００２１】
通知部３２は、処理部３１からサーバ５へ通知する注文情報を受信し、利用者情報記憶部３４から必要な利用者情報を読み出して注文情報とともにサーバ５へ送信する。
【００２２】
処理内容記憶部３３は、カードＩＤと処理内容とを対応させた処理内容対応一覧（全利用者共通）と処理内容対応一覧（利用者毎）を保持する。処理内容対応一覧（全利用者共通）は、全利用者（全情報端末３）で共通の処理内容が記載されている。処理内容対応一覧（利用者毎）は、利用者毎（情報端末３毎）に異なる内容の処理内容が記載されている。図２（ａ）に、処理内容対応一覧（全利用者共通）の例を示し、図２（ｂ）に処理内容対応一覧（利用者毎）の例を示す。処理内容としては、タクシーの配車、商品の配送注文、介護サービスの手配など利用者宅においてサービスが提供されたり、利用者宅に物が配達されるものや、カラオケ、音楽・動画の視聴など情報端末３に外部からコンテンツが配信されるものがある。あるいは、情報端末３にインストールされた所定のアプリケーションの起動及び操作を処理内容に記載してもよい。
【００２３】
例えば、タクシーの絵を表示した記録媒体１ＡにカードＩＤとして「１」が記憶されている場合、処理内容対応一覧（全利用者共通）又は処理内容対応一覧（利用者毎）には、カードＩＤ「１」に対応する処理内容としてタクシーを呼ぶことが記載される。処理部３１は、入力装置２からカードＩＤ「１」を受信してタクシーを呼ぶ処理を実行することを決定すると、表示装置４にタクシーの配車の手配中であることを表示する処理、手配先のタクシー会社の情報や利用者情報をサーバ５へ送信することを通知部３２に指示する処理、サーバ５から配車結果を受信したときには表示装置４に配車結果を表示する処理を実行する。情報端末３に上記のタクシーを呼ぶ処理を実行するアプリケーションをインストールしておき、処理内容対応一覧（全利用者共通）又は処理内容対応一覧（利用者毎）の処理内容にそのアプリケーションの識別子を登録してもよい。処理部３１は、カードＩＤに対応するアプリケーションの識別子を処理内容対応一覧（全利用者共通）又は処理内容対応一覧（利用者毎）から取得し、その識別子に対応するアプリケーションを起動して実行する。
【００２４】
なお、処理内容対応一覧（全利用者共通）又は処理内容対応一覧（利用者毎）に、カードＩＤの代わりに別の情報を記載してもよい。例えば、記録媒体１Ａ，１Ｂ，・・・，１Ｎに属性値を記録しておき、処理内容対応一覧（全利用者共通）又は処理内容対応一覧（利用者毎）で属性値と処理内容を対応させておく。この場合、同じ属性値を持つ記録媒体１Ａ，１Ｂ，・・・，１Ｎが存在してもよい。
【００２５】
処理内容対応一覧（全利用者共通）は、所定のタイミングで自動的に更新される。情報端末３は、サーバから全利用者共通の処理内容の情報を受信して処理内容対応一覧（全利用者共通）を更新する。処理内容対応一覧（全利用者共通）の更新時に必要なアプリケーションのインストールを行ってもよい。
【００２６】
利用者情報記憶部３４は、注文した商品の配達先や連絡先などの利用者情報を保持する。図３に利用者情報の例を示す。利用者情報としては、例えば、端末ＩＤ、住所、氏名、電話番号などがある。情報端末３に利用者情報を記録し、記録媒体１Ａ，１Ｂ，・・・，１Ｎには利用者情報を記録しないことで、記録媒体１Ａ，１Ｂ，・・・，１Ｎを紛失しても利用者情報が漏洩しない。
【００２７】
表示装置４は、情報端末３に接続されるテレビである。表示装置４の代わりに音声のみを出力するスピーカを用いて、情報端末３の処理状態を出力してもよい。
【００２８】
サーバ５は、利用者宅外に配置される装置であり、各利用者宅の情報端末３から注文情報を受信すると、その注文情報に従って各サービス提供元６Ａ，６Ｂにサービスを発注する。サーバ５からサービス提供元６Ａ，６Ｂへは、メールで注文を通知してもよいし、サーバ５がサービス提供元６Ａ，６ＢへＦＡＸを送信して注文してもよい。サーバ５とサービス提供元６Ａ，６Ｂとのやり取りはサービス提供元６Ａ，６Ｂによって様々な形態が考えられる。図１では、サーバ５を１つのみ表示しているが、サーバ５を複数台配置してもよい。また、情報端末３がサーバ５の機能を備えて、情報端末３がサービス提供元６Ａ，６Ｂに注文を通知してもよい。
【００２９】
次に、本実施の形態における情報システムの処理について説明する。
【００３０】
図４は、本実施の形態における情報システムの処理の流れを示すフローチャートである。ここでは、タクシーの配車手配を例に説明する。
【００３１】
利用者は、自身が保持する複数の記録媒体１Ａ，１Ｂ，・・・，１Ｎの中からタクシーの絵が表示された記録媒体１Ａを選択して入力装置２にかざす。
【００３２】
入力装置２は、記録媒体１Ａに記録されたカードＩＤを読み取り、情報端末３へ送信する（ステップＳ１１）。タクシーの絵が表示された記録媒体１ＡはカードＩＤ「１」を記録しているものとする。
【００３３】
情報端末３の処理部３１は、処理内容記憶部３３を参照し、入力装置２から送信されたカードＩＤに対応する処理内容を特定する（ステップＳ１２）。入力装置２からカードＩＤ「１」を受信したので、処理部３１は、処理内容記憶部３３からカードＩＤ「１」に対応する処理内容は「タクシー呼ぶ」であると特定する。処理内容を特定すると、処理部３１は対応するアプリケーションを起動したり、対応する処理を開始する。処理内容対応一覧（全利用者共通）と処理内容対応一覧（利用者毎）の両方に同一のカードＩＤが存在する場合は、処理内容対応一覧（利用者毎）に記載された処理内容を優先してもよい。
【００３４】
処理部３１は、処理内容を表示装置４に表示し、操作が受け付けられたことを利用者に示す（ステップＳ１３）。例えば、処理部３１は、「配車手配中」と表示装置４に表示する。
【００３５】
処理部３１は、通知部３２にタクシー配車の要求をサーバ５へ送信するように指示し、通知部３２は、タクシー配車の要求に必要な利用者情報を利用者情報記憶部３４から取得する（ステップＳ１４）。タクシー配車の要求に必要な利用者情報としては、例えば、配車先住所、氏名、連絡先電話番号がある。
【００３６】
通知部３２は、タクシー配車の要求と利用者情報をサーバ５へ送信する（ステップＳ１５）。サーバ５は、タクシー配車の要求を受信すると、その要求をタクシー会社へ通知し、タクシー配車の要求を受け付けたことを情報端末３へ返信する。
【００３７】
処理部３１は、サーバ５からの返信を受けて、その結果を表示させる（ステップＳ１６）。例えば、処理部３１は、「配車手配完了」と表示装置４に表示させる。その後、サーバ５から配車状況の通知がある場合は、表示装置４に表示された内容を「もうすぐ到着予定」などと変更する。
【００３８】
商品の注文についても図４と同様の処理が行われる。例えば、利用者が注文したい商品の絵が表示された記録媒体１Ｂを入力装置２にかざすと、処理部３１が記録媒体１Ｂに記録されたカードＩＤ「２」に対応する処理内容を特定し、通知部３２が商品の注文情報と配達先の利用者情報をサーバ５に送信する。そして、サーバ５は、店舗に注文を通知する。
【００３９】
カラオケ、音楽・動画の配信の場合は、コンテンツ配信元のコンテンツサーバに対して配信先の情報を通知する。例えば、利用者がカラオケの絵が表示された記録媒体１Ｎを入力装置２にかざすと、処理部３１は、カラオケのアプリケーションを起動する。カラオケの曲も指定されている場合は、コンテンツサーバに対してその曲を配信するように要求する。カラオケの絵が描かれた複数の記録媒体１Ｎ−１，・・・１Ｎ−Ｍを持ち、１つの記録媒体１Ｎ−１，・・・，１Ｎ−Ｍを１曲に対応させて、記録媒体１Ｎ−１，・・・，１Ｎ−Ｍをかざすだけで自分の持ち歌を選曲できるようにしてもよい。記録媒体１Ｎ−１，・・・，１Ｎ−Ｍのそれぞれには曲名を記入できる欄を設けるとよい。
【００４０】
また、記録媒体にコンテンツの暗号鍵を記録してもよい。利用者が記録媒体を入力装置２にかざすと、情報端末３は、記録媒体に記録されたカードＩＤに対応するコンテンツの配信をコンテンツサーバに要求し、配信されたコンテンツを記録媒体に記録された暗号鍵で復号して再生する。
【００４１】
情報端末３は、病室などに設置されてもよい。情報端末３の利用者情報に病室番号、ベッド番号を登録しておく。利用者は、病院の売店で販売されている商品が表示された複数の記録媒体を保持する。利用者が所望の商品が描かれた記録媒体を入力装置２にかざすと、対応する商品の注文情報が病室番号、ベッド番号とともに売店に通知され、売店から商品が利用者に届けられる。売店への注文だけでなく、病院内のサービス（美容室、郵便など）の予約に用いてもよい。病院内の各サービスを表示した記録媒体をそれぞれ用意しておく。所望のサービスを表示した記録媒体を入力装置２にかざすことで、サービス提供先に注文情報が通知されて、対応するサービスの予約ができる。
【００４２】
次に、処理内容をカスタマイズする例について説明する。
【００４３】
図５は、本実施の形態における処理内容をカスタマイズする処理の流れを示すフローチャートである。
【００４４】
まず、登録したい処理内容を決定する（ステップＳ２１）。処理内容の決定は、その処理を実行するアプリケーションが設定画面を表示し、利用者は、その設定画面に従って処理内容を登録する。利用者は、情報端末３に接続されたキーボード、マウス、リモコンなどの装置を利用して処理内容を決定する。例えば、カラオケの持ち歌を変更する場合、カラオケのアプリケーションを起動し、持ち歌設定画面で持ち歌を設定する。
【００４５】
処理内容を決定すると、表示装置４に、記録媒体１Ａ，１Ｂ，・・・，１Ｎを入力装置２にかざすように利用者を促すメッセージを表示する。
【００４６】
利用者が記録媒体１Ａ，１Ｂ，・・・，１Ｎのいずれかを入力装置２にかざすと、入力装置２はカードＩＤを読み取る（ステップＳ２２）。
【００４７】
処理部３１は、ステップＳ２２で読み取ったカードＩＤに対応する処理内容としてステップＳ２１で決定した処理内容を処理内容対応一覧（利用者毎）に登録する（ステップＳ２３）。このとき、登録する処理内容に関係のないイメージを表示する記録媒体１Ａ，１Ｂ，・・・，１Ｎがかざされた場合は、処理内容を登録しないようにしてもよい。例えば、カラオケの持ち歌を登録するときに、カラオケ以外の絵が表示された記録媒体１Ａ，１Ｂがかざされた場合は、処理内容は書き換えない。処理内容対応一覧（全利用者共通）と処理内容対応一覧（利用者毎）の両方に読み取ったカードＩＤが存在する場合は、処理内容対応一覧（利用者毎）を優先して処理内容を登録する。処理内容対応一覧（利用者毎）内に読み取ったカードＩＤが存在しない場合は、処理内容対応一覧（利用者毎）に読み取ったカードＩＤと処理内容とを新たに登録してもよい。
【００４８】
なお、記録媒体１Ａ，１Ｂ，・・・，１Ｎが書き換え可能な場合、記録媒体１Ａ，１Ｂ，・・・，１Ｎに情報を記録してもよい。例えば、記録媒体１Ｎに持ち歌の識別番号を記録する。利用者が持ち歌の識別番号が記録された記録媒体１Ｎを入力装置２にかざすと、情報端末３は、記録媒体１Ｎに記録されたカードＩＤに対応するカラオケのアプリケーションを起動し、カラオケのアプリケーションが記録媒体１Ｎに記録された持ち歌の識別番号を読み出して、対応するコンテンツの配信を外部のサーバへ要求する。
【００４９】
以上説明したように、本実施の形態によれば、複数の記録媒体１Ａ，１Ｂ，・・・，１Ｎのそれぞれに、情報端末３に実行させる処理を特定可能な情報を記録しておき、複数の記録媒体１Ａ，１Ｂ，・・・，１Ｎのそれぞれが、情報端末３が実行する処理に関連するイメージを表示していることで、利用者は、複数の記録媒体１Ａ，１Ｂ，・・・，１Ｎの中から希望するサービスに関連するイメージを表示した記録媒体１Ａ，１Ｂ，・・・，１Ｎを物理的に選び、選んだ記録媒体１Ａ，１Ｂ，・・・，１Ｎを入力装置２にかざすだけで、情報端末３に所望の処理をさせることが可能となる。
【００５０】
本実施の形態によれば、１つの記録媒体１Ａ，１Ｂ，・・・，１Ｎが１つのサービスに対応するので、利用者は、自分がよく使うサービスの記録媒体１Ａ，１Ｂ，・・・，１Ｎを組み合わせて可変に保持することができる。また、利用者自身で、記録媒体１Ａ，１Ｂ，・・・，１Ｎをカテゴリ毎に物理的に分類して管理することもできる。
【００５１】
本実施の形態によれば、記録媒体１Ａ，１Ｂ，・・・，１Ｎに利用者情報を記録せず、情報端末３が利用者情報を保持することで、記録媒体１Ａ，１Ｂ，・・・，１Ｎを紛失しても個人情報が漏れる心配がない。商品の配達先やサービスの提供先の情報が必要な場合は、情報端末３が保持する利用者情報を利用できる。
【符号の説明】
【００５２】
１Ａ，１Ｂ，・・・，１Ｎ…記録媒体
１Ｎ−１，・・・，１Ｎ−Ｍ…記録媒体
２…入力装置
３…情報端末
３１…処理部
３２…通知部
３３…処理内容記憶部
３４…利用者情報記憶部
４…表示装置
５…サーバ
６Ａ，６Ｂ…サービス提供元
【図１】
2017157012.tif 000003
【図２】
2017157012.tif 000004
【図３】
2017157012.tif 000005
【図４】
2017157012.tif 000006
【図５】
2017157012.tif 000007